【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
マルチレイヤビットストリームのビデオ情報を符号化または復号するための方法であって、
少なくとも１つの回復点補足エンハンスメント情報（ＳＥＩ）メッセージを関連付けるべきアクセスユニット内に含まれる複数のピクチャのうちの少なくとも１つのピクチャを決定することと、前記アクセスユニットは前記マルチレイヤビットストリーム内に含まれる、
前記少なくとも１つの回復点ＳＥＩメッセージを前記決定された少なくとも１つのピクチャに関連付けることと、
前記少なくとも１つの回復点ＳＥＩメッセージの、前記決定された少なくとも１つのピクチャへの前記関連付けに少なくとも部分的に基づいて、前記ビデオ情報をコーディングすることと
を備え、
ここにおいて、前記少なくとも１つの回復点ＳＥＩメッセージを前記決定された少なくとも１つのピクチャに前記関連付けることは、前記少なくとも１つの回復点ＳＥＩメッセージを前記アクセスユニットの中に含まれる１つよりも多くのピクチャに関連付けることを備え、ここにおいて、回復点ＳＥＩメッセージが適用されるレイヤは、前記少なくとも１つの回復点ＳＥＩメッセージを含むスケーラブルネスティングＳＥＩメッセージによって指定され、前記少なくとも１つの回復点ＳＥＩメッセージによって示される前記回復点は、前記少なくとも１つの回復点ＳＥＩメッセージに関連付けられた前記レイヤの中に含まれる前記ピクチャのすべてが復号されたコンテンツにおいて適正またはほぼ適正となる点である、方法。
【請求項２】
前記少なくとも１つの回復点ＳＥＩメッセージを前記決定された少なくとも１つのピクチャに前記関連付けることは、
第１の回復点ＳＥＩメッセージを前記アクセスユニットの第１のピクチャに関連付けることと、
第２の回復点ＳＥＩメッセージを前記アクセスユニットの第２のピクチャに関連付けることとを備える、
請求項１に記載の方法。
【請求項３】
前記アクセスユニットは、第１のレイヤの中の第１のピクチャと、第２のレイヤの中の第２のピクチャとを備え、前記第２のレイヤは、前記第１のレイヤの従属レイヤであり、ここにおいて、前記関連付けることは、
前記第１のピクチャが、前記第１のピクチャの適正な復号のための定義された範囲内にあると知られているかどうかを決定することと、
前記第１のピクチャが前記定義された範囲内にあると知られているとの決定に応答して、前記少なくとも１つの回復点ＳＥＩメッセージを前記第２のピクチャに関連付けることとを備える、
請求項１に記載の方法。
【請求項４】
前記アクセスユニットの中に含まれる前記複数のピクチャのサブセットを、前記少なくとも１つの回復点ＳＥＩメッセージに関連付けることと、
第１の領域リフレッシュＳＥＩメッセージを、前記少なくとも１つの回復点ＳＥＩメッセージに関連付けられた前記複数のピクチャの前記サブセットのうちの少なくとも１つのピクチャに関連付けることと
をさらに備える、請求項１に記載の方法。
【請求項５】
第２の領域リフレッシュＳＥＩメッセージを、前記少なくとも１つの回復点ＳＥＩメッセージに関連付けられた前記複数のピクチャの前記サブセットのうちの別のピクチャに関連付けることをさらに備える、請求項４に記載の方法。
【請求項６】
前記少なくとも１つの回復点ＳＥＩメッセージは、回復点ピクチャのインジケーションと完全一致フラグとを備え、前記方法は、
前記アクセスユニットにおいて開始する前記ビデオ情報の復号が、イントラランダムアクセスポイント（ＩＲＡＰ）ピクチャにおいて開始する前記ビデオ情報の復号と同じ回復点ピクチャをもたらすことになるかどうかを決定することと、
前記ビデオ情報の前記復号が前記同じ回復点ピクチャをもたらすことになるとの決定に応答して、前記ビデオ情報の前記復号が、前記同じ回復点ピクチャをもたらすことになることを示すように、前記完全一致フラグを設定することと
をさらに備える、請求項１に記載の方法。
【請求項７】
少なくとも１つの回復点補足エンハンスメント情報（ＳＥＩ）メッセージを関連付けるべきアクセスユニット内に含まれる複数のピクチャのうちの少なくとも１つのピクチャを決定するための手段と、前記アクセスユニットはマルチレイヤビットストリーム内に含まれる、
前記少なくとも１つの回復点ＳＥＩメッセージを前記決定された少なくとも１つのピクチャに関連付けるための手段と、
前記少なくとも１つの回復点ＳＥＩメッセージの、前記決定された少なくとも１つのピクチャへの前記関連付けに少なくとも部分的に基づいて、ビデオ情報を符号化または復号するための手段と
を備え、ここにおいて、前記少なくとも１つの回復点ＳＥＩメッセージを前記決定された少なくとも１つのピクチャに前記関連付けることは、前記少なくとも１つの回復点ＳＥＩメッセージを前記アクセスユニットの中に含まれる１つよりも多くのピクチャに関連付けることを備え、ここにおいて、回復点ＳＥＩメッセージが適用されるレイヤは、前記少なくとも１つの回復点ＳＥＩメッセージを含むスケーラブルネスティングＳＥＩメッセージによって指定され、前記少なくとも１つの回復点ＳＥＩメッセージによって示される前記回復点は前記少なくとも１つの回復点ＳＥＩメッセージに関連付けられた前記レイヤの中に含まれる前記ピクチャのすべてが復号されたコンテンツにおいて適正またはほぼ適正となる点である、装置。
【請求項８】
関連付けるための前記手段は、
第１の回復点ＳＥＩメッセージを前記アクセスユニットの第１のピクチャに関連付けるための手段と、
第２の回復点ＳＥＩメッセージを前記アクセスユニットの第２のピクチャに関連付けるための手段とを備える、
請求項７に記載の装置。
【請求項９】
前記アクセスユニットは、第１のレイヤの中の第１のピクチャと、第２のレイヤの中の第２のピクチャとを備え、前記第２のレイヤは、前記第１のレイヤの従属レイヤであり、ここにおいて、関連付けるための前記手段は、
前記第１のピクチャが、前記第１のピクチャの適正な復号のための定義された範囲内にあると知られているかどうかを決定するための手段と、
前記第１のピクチャが前記定義された範囲内にあると知られているとの決定に応答して、前記少なくとも１つの回復点ＳＥＩメッセージを前記第２のピクチャに関連付けるための手段とを備える、
請求項７に記載の装置。
【請求項１０】
前記アクセスユニットの中に含まれる前記複数のピクチャのサブセットを、前記少なくとも１つの回復点ＳＥＩメッセージに関連付けるための手段と、
第１の領域リフレッシュＳＥＩメッセージを、前記少なくとも１つの回復点ＳＥＩメッセージに関連付けられた前記複数のピクチャの前記サブセットのうちの少なくとも１つのピクチャに関連付けるための手段と
をさらに備える、請求項７に記載の装置。
【請求項１１】
第２の領域リフレッシュＳＥＩメッセージを、前記少なくとも１つの回復点ＳＥＩメッセージに関連付けられた前記複数のピクチャの前記サブセットのうちの別のピクチャに関連付けるための手段をさらに備える、請求項１０に記載の装置。
【請求項１２】
前記少なくとも１つの回復点ＳＥＩメッセージは、回復点ピクチャのインジケーションと完全一致フラグとを備え、前記装置は、
前記アクセスユニットにおいて開始する前記ビデオ情報の復号が、イントラランダムアクセスポイント（ＩＲＡＰ）ピクチャにおいて開始する前記ビデオ情報の復号と同じ回復点ピクチャをもたらすことになるかどうかを決定するための手段と、
前記ビデオ情報の前記復号が前記同じ回復点ピクチャをもたらすことになるとの決定に応答して、前記ビデオ情報の前記復号が、前記同じ回復点ピクチャをもたらすことになることを示すように、前記完全一致フラグを設定するための手段と
をさらに備える、請求項７に記載の装置。
【請求項１３】
実行されたときに、デバイスのプロセッサに、請求項１乃至６のいずれか一項の方法を実施させる命令を記憶した、非一時的コンピュータ可読記憶媒体。